(57)【要約】      （修正有）【課題】コンパクトでありながら従来の枕と同等の機能を有する枕を提供すること。【解決手段】枕は、中央ノード２４から外方に延びかつクッション性充填剤を収容する、第１ローブ２６ａ、第２ローブ２６ｂ及び第３ローブ２６ｃを備える。閉じ機構は、第１ローブ及び第２ローブの外周の周りに延びる。第３ローブは、収納形態において第１ローブと第２ローブとに覆われ、就寝形態において覆われない。第１ローブ及び第２ローブのうち、収納形態において露出した部分は、耐久性に優れた生地によって覆われる。Ｙ字状インナー枕ケースは、充填剤を収容し、ローブ内に配置され得る。充填剤は、収納形態において露出するバルブを有する空気袋を含み得る。【選択図】図２
2022001247.tif 000002
【特許請求の範囲】
【請求項１】
中央ノードから外方に延びる第１ローブ、第２ローブ及び第３ローブを備え、
前記第３ローブと、前記第１ローブ及び前記第２ローブのうち少なくとも１つと、はクッション性充填剤を収容し、
前記第１ローブの外周は、前記第１ローブの外周に固定された第１閉じ部を備え、
前記第２ローブの外周は、前記第２ローブの外周に固定された第２閉じ部を備え、
前記第２閉じ部は、就寝形態または収納形態において、前記第３ローブを備える前記第１閉じ部と選択的に接続可能であり、
前記第３ローブは、前記収納形態において前記第１ローブと前記第２ローブとの間に配置され、前記就寝形態において前記第１ローブと前記第２ローブとの間に配置されない
ことを特徴とする枕。
【請求項２】
前記第３ローブは、前記就寝形態において露出し、前記収納形態において前記第１ローブと前記第２ローブとによって覆われる
ことを特徴とする請求項１に記載の枕。
【請求項３】
前記第３ローブが前記収納形態であって前記第１閉じ部が前記第２閉じ部と接続する場合、前記第１ローブ及び前記第２ローブの第１部分は露出し、前記第３ローブは露出せず、前記第１部分は第１素材によって覆われ、
前記第３ローブが前記就寝形態であって前記第１閉じ部が前記第２閉じ部と接続する場合、前記第１ローブ及び前記第２ローブの第２部分と、前記第３ローブと、は露出し、前記第２部分は第２素材によって覆われ、
前記第１素材は、前記第２素材と比べて、劣った伸縮性、劣った可撓性及び優れた耐久性のうち一つ以上を備える素材である
ことを特徴とする請求項１に記載の枕。
【請求項４】
前記第１素材は、前記第２素材と比べて、劣った伸縮性、劣った可撓性及び優れた耐久性の全てを備える素材である
ことを特徴とする請求項３に記載の枕。
【請求項５】
前記第１素材は、前記クッション性充填剤を挿入するための、ジッパーが取り付けられた開口を規定する
ことを特徴とする請求項３に記載の枕。
【請求項６】
前記第１ローブと前記第２ローブとの双方は、前記クッション性充填剤を収容する
ことを特徴とする請求項１に記載の枕。
【請求項７】
前記クッション性充填剤を収容し、前記第１ローブ、前記第２ローブ及び前記第３ローブの中に配置された、Ｙ字状インナー枕ケースをさらに備える
ことを特徴とする請求項１に記載の枕。
【請求項８】
前記クッション性充填剤の少なくとも一部が空気袋である
ことを特徴とする請求項１に記載の枕。
【請求項９】
前記空気袋にはバルブが連結しており、
前記バルブの一部が前記第１ローブから外方に突出しており、
前記第３ローブが前記収納形態であって前記第１閉じ部が前記第２閉じ部と接続する場合、前記バルブが露出し、
前記第３ローブが前記就寝形態であって前記第１閉じ部が前記第２閉じ部と接続する場合、前記バルブは前記第１ローブと前記第２ローブとの間で覆われる
ことを特徴とする請求項８に記載の枕。
【請求項１０】
前記充填剤の素材は、１枚の発泡材、細断された発泡材及びダウンのいずれかである
ことを特徴とする請求項１に記載の枕。
【請求項１１】
中央ノードから外方に延びる第１ローブ、第２ローブ及び第３ローブと、前記第１ローブの外周及び前記第２ローブの外周に固定される閉じ機構と、を備える枕を提供する工程と、
収納形態において、前記第３ローブを備える前記閉じ機構を閉じる工程と、を備える方法であって、
前記第３ローブと、前記第１ローブ及び前記第２ローブのうち少なくとも１つと、はクッション性充填剤を収容し、
前記第３ローブは、前記収納形態において、前記第１ローブ、前記第２ローブ及び前記閉じ機構の中に収容される
ことを特徴とする方法。
【請求項１２】
前記収納形態において、前記第３ローブを備える前記閉じ機構を開く工程と、
就寝形態において、前記第３ローブを備える前記閉じ機構を閉じる工程と、
をさらに備え、
前記第３ローブは、前記就寝形態において、露出して、前記第１ローブ、前記第２ローブ及び前記閉じ機構の中に収容されない
ことを特徴とする請求項１に記載の方法。
【請求項１３】
前記第３ローブが前記収納形態であって前記閉じ機構が閉じる場合、前記第１ローブ及び前記第２ローブの第１部分は露出し、前記第３ローブは露出せず、前記第１部分は第１素材によって覆われ、
前記第３ローブが前記就寝形態であって前記閉じ機構が閉じる場合、前記第１ローブ及び前記第２ローブの第２部分と、前記第３ローブと、は露出し、前記第２部分は第２素材によって覆われ、
前記第１素材は、前記第２素材と比べて、劣った伸縮性、劣った可撓性及び優れた耐久性のうち一つ以上を備える素材である
ことを特徴とする請求項１２に記載の方法。
【請求項１４】
前記第１素材は、前記第２素材と比べて、劣った伸縮性、劣った可撓性及び優れた耐久性の全てを備える素材である
ことを特徴とする請求項１３に記載の方法。
【請求項１５】
前記閉じ機構はジッパーである
ことを特徴とする請求項１１に記載の方法。
【請求項１６】
前記第１ローブと前記第２ローブとの双方は、前記クッション性充填剤を収容する
ことを特徴とする請求項１１に記載の方法。
【請求項１７】
前記クッション性充填剤を収容し、前記第１ローブ、前記第２ローブ及び前記第３ローブの中に配置された、Ｙ字状インナー枕ケースをさらに備える
ことを特徴とする請求項１１に記載の方法。
【請求項１８】
前記クッション性充填剤の少なくとも一部が空気袋であり、
前記方法はさらに、前記空気袋を収縮させる工程を備える
ことを特徴とする請求項１１に記載の方法。
【請求項１９】
前記空気袋にはバルブが連結しており、
前記バルブの一部が前記第１ローブから外方に突出しており、
前記第３ローブが前記収納形態の場合、前記バルブが露出し、
前記方法はさらに、前記バルブを用いて前記空気袋を収縮させる工程を備える
ことを特徴とする請求項１８に記載の方法。
【請求項２０】
前記充填剤の素材は、１枚の発泡材、細断された発泡材及びダウンのいずれかである
ことを特徴とする請求項１に記載の枕。
【発明の詳細な説明】
【技術分野】
【０００１】
本特許出願は、２０２０年５月２９日に出願された、「枕」と題する米国仮出願第６３／０３１，９１８号の優先権を主張する。この内容は、参照によって本明細書に組み込まれる。
【０００２】
本特許出願は、枕に関し、より具体的には、旅行時に使用される枕に関する。
【背景技術】
【０００３】
旅行時に用いられるアイテムはしばしば、従来の対応物と比べてより小さくより携帯可能となるように、作り変えられる。この改造により、しばしばアイテムの性能が妥協される。これは、一部の物にとっては許容し得るが、寝具について、旅行者はこの妥協を受け入れない可能性がある。これは、非常に嵩高な、従来のブランケット、枕及びマットレスと同様の問題をはらんでいる。
【発明の概要】
【発明が解決しようとする課題】
【０００４】
コンパクトでありながら従来の枕と同等の機能を有する枕を提供することは、本技術分野における進歩である。
【課題を解決するための手段】
【０００５】
本発明の一側面においては、枕は、中央ノードから外方に延びる第１ローブ、第２ローブ及び第３ローブを備える。第３ローブと、第１ローブ及び第２ローブのうち少なくとも１つと、はクッション性充填剤を収容する。第１ローブの外周は、第１ローブの外周に固定された第１閉じ部を備える。第２ローブの外周は、第２ローブの外周に固定され、第１閉じ部と選択的に接続可能である、第２閉じ部を備える。第３ローブは、就寝形態または収納形態において配置され得る。第３ローブは、収納形態において第１ローブと第２ローブとの間に配置され、就寝形態において第１ローブと第２ローブとの間に配置されない。
【０００６】
第３ローブは、就寝形態において露出し、収納形態において第１ローブと第２ローブとによって覆われる。一部の実施形態では、第３ローブが収納形態であって第１閉じ部が第２閉じ部と接続する場合、第１ローブ及び第２ローブの第１部分は露出し、第３ローブは露出せず、第１部分は第１素材によって覆われる。第３ローブが就寝形態であって第１閉じ部が第２閉じ部と接続する場合、第１ローブ及び第２ローブの第２部分と、第３ローブと、は露出し、第２部分は第２素材によって覆われる。第１素材は、第２素材と比べて、劣った伸縮性、劣った可撓性及び優れた耐久性のうち一つ以上を備える素材である。例えば、第１素材は、第２素材と比べて、劣った伸縮性、劣った可撓性及び優れた耐久性の全てを備える素材である。
【０００７】
第１素材は、クッション性充填剤を挿入するための、ジッパーが取り付けられた開口を規定し得る。一部の実施形態では、第１ローブと第２ローブとの双方が、クッション性充填剤を収容する。一部の実施形態では、枕は、クッション性充填剤を収容しかつ第１ローブ、第２ローブ及び第３ローブの中に配置された、Ｙ字状インナー枕ケースを備え得る。
【０００８】
一部の実施形態では、クッション性充填剤の少なくとも一部が空気袋である。空気袋にはバルブが連結しており、バルブの一部が第１ローブから外方に突出しており、第３ローブが収納形態であって第１閉じ部が第２閉じ部と接続する場合、バルブが露出し、第３ローブが就寝形態であって第１閉じ部が第２閉じ部と接続する場合、バルブは第１ローブと第２ローブとの間で覆われる。充填剤の素材は、１枚の発泡材、細断された発泡材及びダウンのいずれかであってよい。
【０００９】
一部の実施形態では、方法は、中央ノードから外方に延びる第１ローブ、第２ローブ及び第３ローブを備える枕を提供する工程を含む。第３ローブと、第１ローブ及び第２ローブのうち少なくとも１つと、はクッション性充填剤を収容する。閉じ機構は、第１ローブの外周及び第２ローブの外周に固定される。方法は、収納形態において、第３ローブを備える閉じ機構を閉じる工程を含む。第３ローブは、収納形態において、第１ローブ、第２ローブ及び閉じ機構の中に収容される。
【００１０】
一部の実施形態では、方法は、収納形態において、第３ローブを備える閉じ機構を開く工程と、就寝形態において、第３ローブを備える閉じ機構を閉じる工程と、を含む。第３ローブは、就寝形態において、露出して、第１ローブ、第２ローブ及び閉じ機構の中に収容されない。
【００１１】
一部の実施形態では、第３ローブが収納形態であって閉じ機構が閉じる場合、第１ローブ及び第２ローブの第１部分は露出し、第３ローブは露出せず、第１部分は第１素材によって覆われる。一部の実施形態では、第３ローブが就寝形態であって閉じ機構が閉じる場合、第１ローブ及び第２ローブの第２部分と、第３ローブと、は露出し、第２部分は第２素材によって覆われる。第１素材は、第２素材と比べて、劣った伸縮性、劣った可撓性及び優れた耐久性のうち一つ以上を備える素材である。第１素材は、第２素材と比べて、劣った伸縮性、劣った可撓性及び優れた耐久性の全てを備える素材であってよい。
【００１２】
一部の実施形態では、閉じ機構はジッパーである。一部の実施形態では、第１ローブと第２ローブとの双方が、クッション性充填剤を収容する。一部の実施形態では、クッション性充填剤を収容しかつ第１ローブ、第２ローブ及び第３ローブの中に配置された、Ｙ字状インナー枕ケースをさらに備える。
【００１３】
一部の実施形態では、クッション性充填剤の少なくとも一部が空気袋である。方法はさらに、空気袋を収縮させる工程を備える。空気袋にはバルブが連結している。バルブの一部が、第１ローブから外方に突出している。第３ローブが収納形態であって第１閉じ部が第２閉じ部と接続する場合、バルブが露出する。第３ローブが就寝形態の場合、バルブは第１ローブと第２ローブとの間で覆われ得る。方法は、バルブを用いて空気袋を収縮させる工程を含み得る。
【図面の簡単な説明】
【００１４】
本発明における好ましい例及び代替例は、以下の図面を参照して、以下に詳細に説明する。
【００１５】
【図１】本発明の一実施形態であって、就寝形態における枕の上面図である。
【図２】就寝形態から収納形態に遷移している枕の等角図である。
【図３】本発明の一実施形態であって、就寝形態から収納形態への遷移の後半段階における、枕の等角図である。
【図４】本発明の一実施形態であって、収納形態において枕が閉じられた閉じ機構の等角図である。
【図５】本発明の一実施形態であって、収納形態における枕の等角図である。
【図６Ａ】本発明の一実施形態であって、インナー枕ケースを示す等角図である。
【図６Ｂ】本発明の一実施形態であって、インナー枕ケースを挿入するための開口を示す等角図である。
【図７】本発明の一実施形態であって、枕とともに使用する空気袋の等角図である。
【図８】本発明の一実施形態であって、露出した空気袋のバルブを備える、収納形態における枕の等角図である。
【発明を実施するための形態】
【００１６】
図１を参照して、枕１０は、水平方向１２ａ、長手方向１２ｂ、および垂直方向１２ｃに関して理解することができる。水平方向１２ａ、長手方向１２ｂ、および垂直方向１２ｃは、すべて互いに垂直である。方向１２ａ、１２ｂおよび１２ｃは、枕１０の特徴の相対位置に対する理解を促進するために記載しており、使用中における枕１０の実際の向きと一致する必要はない。
【００１７】
枕１０は、図示された就寝形態において、略長方形であるか、または、水平方向１２ａおよび長手方向１２ｂに平行な平面内に境界長方形１２ｄを定義することができる。境界長方形１２ｄは、枕１０を含む最小の長方形であり、枕１０は、平面に平行な支持面上に存し、重力以外の外力によって変形しない。水平方向１２ａは、境界長方形の最も長い辺に平行であると定義することができ、長手方向は、境界長方形１２ｄの最も短い辺（境界長方形が正方形である場合には、水平方向１２ａを定義するために用いられる辺以外の辺）と平行であると定義することができる。垂直方向１２ｃは、方向１２ａ、１２ｂと垂直であり、枕１０のロフトの量に対応する。
【００１８】
図１に示すように、枕の形状は、長方形でなくてもよく、角が丸い形状のように角ばっていない構成や、枕の中心に向かって狭くなる構成などが含まれる。他の実施形態では、枕の形状は、従来の長方形である。図１に示す形状は、充填剤を備えた枕の形状であってよい。充填剤は、クッション素材を含んでよい。クッション素材としては、１枚以上の発泡材（ポリウレタン発泡材またはラテックス発泡材）、細断された発泡材、ポリエステル繊維（充填繊維）、綿羽または他のクッション素材を用いることができる。
【００１９】
図１には、枕１０の就寝ケース１４が示されている。枕１０の裏面（見る側と反対側に面している）は、同一の形状及び構成を有し、就寝ケース１４の一部も形成し得る。就寝ケース１４は、ナイロン、ポリエステル、木綿、麻や他の素材など、枕ケースを作る際に使用される、本技術分野において既知の天然繊維または合成繊維から作られ得る。実施形態の一例では、就寝ケース１４は、伸縮性を有する織物ナイロン素材から作られてよい。
【００２０】
図１を参照しつつ図２を参照して、就寝ケース１４の外周の一部を開口１６として定義してもよい。図示の実施形態では、この部分は、就寝ケース１４のうち、図１に示す境界長方形１２ｄの左辺と、左辺から離隔して延びる上辺及び下辺の一部（例えば、左辺から延びる上辺及び下辺の長さの４０〜６０％）と、に最も近い辺の一部である。換言すると、開口１６を規定する就寝ケース１４の外周は、枕と交差して長手方向１２ｂと平行に延びる線１２ｅの一方の側に完全に位置づけされてもよい。この線１２ｅは、水平方向１２ａに沿って枕１０または長方形１２ｄの中間位置に存してもよく、また、水平方向１２ａに沿った枕１０または長方形１２ｄの長さの１０％まで、該中間位置からオフセットされてもよい。図示の実施形態では、線１２ｅは、水平方向１２ａにおける枕１０または境界長方形１２ｄの長さ以下だけ、枕１０または境界長方形１２ｄの左辺から水平方向１２ａに沿ってオフセットされる。
【００２１】
開口１６は、開口１６の外周を囲んで固定されたジッパー１８と、ジッパー１８及び開口１６を閉めるためのジッパーつまみ２０と、を備えてもよい。ジッパー１８及び開口１６が閉じられていると、枕１０は図１に示す構成を有し得る。ジッパーつまみ２０によってジッパー１８を開けると、収納ケース２２が露出する。素材の端を互いに固定するジッパーが記載されている、本願明細書の本例及び他の例においては、他の閉じ機構を代替的に用いてもよい。代替的な閉じ機構としては、一連の留め金、磁石、ボタン、面ファスナー、または共に固定される端に沿って設けられた他の閉じ機構を用いてよい。
【００２２】
収納ケース２２は、就寝ケース１４を形成する素材と比較して、優れた耐久性、劣った伸縮性及び劣った可撓性のうち一部または全部を備える素材によって形成されてもよい。例えば、収納ケース２２は、伸縮性を有しないナイロン織物から作られてもよく、該ナイロン織物は、耐久性を改善するためにポリウレタンまたは他の素材で覆われてもよい。
【００２３】
図２に示すように、開口１６が開いた状態では、枕１０はＹ字形状である。例えば、ノード２４は、ジッパー１８が完全に開いている状態または完全に閉じている状態においてジッパーつまみ２０が配置される、開口１６の終端と定義できる。ローブ（lobe）２６ａ、２６ｂ及び２６ｃは、これらのノード２４から外方へ延びてよい。明示の通り、ローブ２６ａ、２６ｂにおいて外方に面する表面は、就寝ケース１４で覆われている。お互いに向かって内方に面するローブ２６ａ、２６ｂの表面は、収納ケースで覆われている。ローブ２６ｃの表面は、双方とも就寝ケース１４で覆われている。いくつかの実施形態では、ローブ２６ａ、２６ｂは、双方とも充填素材を含んでよい。他の実施形態では、ローブ２６ａ及び２６ｂのいずれか一方のみが、充填素材を含む。
【００２４】
換言すると、就寝ケースは上辺（図１における左辺）の間で裂けて、裂け目が下辺（図１における右辺）に向かって部分的に延びる。裂け目の内側表面は、収納ケース２２によって形成される。
【００２５】
図３を参照して、収納ケース２２が外方に面するようにローブ２６ａ及び２６ｂをローブ２６ｃにかぶせて折りたたむことによって、収納形態の配置とする。就寝ケース１４で覆われたローブ２６ａ、２６ｂは、就寝ケース１４で覆われたローブ２６ｃの表面に面して接触してもよい。ローブ２６ａ、２６ｂ、２６ｃの配置に関わらず、枕の充填剤及び就寝ケース１４は、収納ケース２２内に収納されるように配置される。収納ケース２２は、より耐久性が高く、汚れに強く、水への耐久性に優れた素材で構成されることが好ましい。この構成によれば、より柔らかく快適な素材の就寝ケース１４を備える枕を保護することができる。
【００２６】
図４を参照して、ジッパーつまみ２０は、その後に開口１６を閉じるために用いてもよい。これにより、ジッパー１８及び収納ケース２２によって、枕１０を完全に覆うことができる。
【００２７】
図５を参照して、収納ケース２２は、１枚のシート状素材（a single sheet of material）と、該シート状素材の辺の一部を固定するジッパー１８と、から構成されてもよい。収納ケース２２は、袋状に形成するために、複数の素材から作られてよい。把手３０は、収納形態における枕１０の運搬を容易とすべく、収納ケース２２に固定されてよい。
【００２８】
図６Ａを参照して、一部の実施形態では、収納ケース２２及び就寝ケース１４の中に、ばらばらな充填素材が単に収納されている。他の実施形態では、インナー枕ケース３０を用いて、インナー枕ケース３０に充填素材を収容してもよい。インナー枕ケース３０は、両側に配置されたノード３２と、ノード３２から外方に延びて上述に定義したノード２６ａ、２６ｂ、２６ｃの内側に適合するローブ３４ａ、３４ｂ、３４ｃと、を備えるＹ字形状であってよい。インナーケース３０における、見る側と反対側に面している側部は、対称的な構造を有し、ノード３２のうち１つを規定し得る。
【００２９】
インナーケース３０は、頂部３０ａ、底部３０ｂ、インナー部３０ｃを含む３部構成であってよい。インナー部３０ｃは、縫い目３６ａによって頂部３０ａに固定され、縫い目３６ｂによって底部３０ｂに固定される。明示の通り、縫い目３６ａ、３６ｂは、概ね（例えば３ｍｍ以内で）ノード３２に向かって延びてもよい。頂部３０ａ及び底部３０ｂの右側の終端（right end portion）は、概ね（例えば３ｍｍ以内で）ノード３２に向かって延びる縫い目３６ｃによって、互いに固定されている。
【００３０】
インナー部３０ｃは、単一の部分として記載されているが、２つの部分を含んでもよく、例えば、ノード３２の間を延びる縫い目によって結合されるものであってよい。したがって、ノード３４ａ、３４ｂは、頂部３０ａ、３０ｂ及びインナー部３０ｃによって規定される一方、ノード３４ｃは、頂部３０ａ及び底部３０ｂによって規定される。
【００３１】
図６Ａに示す３部構成は、就寝ケース１４及び収納ケース２２の構築に用いてもよい。ここで、就寝ケース１４は頂部３０ａ及び底部３０ｂに対応しており、収納ケース２２はインナー部３０ｃに対応している。
【００３２】
インナーケース３０の内部へアクセスするために、縫い目３６ａ、３６ｂ、３６ｃのいずれかに沿って配置されたジッパーを用いる方法を採用することができる。例えば、ジッパーが取り付けられた開口４０が、縫い目３０ａに沿ってローブ３４ａの終端に配置されてもよい。同様に、インナーケース３０は、開口１６に対向するように就寝ケース１４によって規定される、ジッパーが取り付けられた開口４２によって、就寝ケース１４の中に挿入されてもよい。
【００３３】
図６Ｂを参照して、一部の実施形態では、ジッパーが取り付けられた開口４２ａ及び対応するジッパーつまみ４２ｂは、収納ケース２２に固定されている。インナーケース３０は、この開口を介して挿入され得る。一方、枕１０が就寝形態である場合には（図１参照）、インナーケース３０、ジッパーが取り付けられた開口４２ａ及びジッパーつまみ４２ｂは就寝ケース内にしまわれる。そのため、ジッパーが取り付けられた開口４２ａ及びジッパーつまみ４２ｂの凹凸によって生じる不快感が取り除かれる。
【００３４】
図７を参照して、一部の実施形態では、枕１０の充填剤は、空気袋４４によって部分的または完全に具現化（embodied）され得る。例えば、空気袋４４は、ダウン（down）、１枚の発泡材（a single piece of foam）または細断された発泡材（pieces of shredded foam）などの他種類の充填素材と組み合わせて用いることができる。空気袋４４は、空気袋４４の周面から内側に延びる溶着部４６を含んでよい。溶着部４６は、膨張時における空気袋４４の高さを減少させる。空気袋４４は、空気袋を膨張及び収縮させるためのバルブ４８を含んでよい。
【００３５】
図８を参照して、一部の実施形態では、収納ケース２２は開口５０を規定するが、バルブ４８は、この開口５０を介してアクセスすることができる。この方法では、就寝ケース１４が外方に面して開口１６が閉じている場合、バルブ４８及び開口５０が枕１０の内部に配置される。
【００３６】
前述のように、本発明の好ましい実施形態を図示及び説明したが、本発明の精神及び範囲を逸脱しない限りにおいて、多くの変更が可能である。従って、本発明の範囲は、明示した好ましい実施形態に限定されない。代わりに、本発明は以下の請求項を参酌して全体的に決定される。
【図１】
2022001247.tif 000003
【図２】
2022001247.tif 000004
【図３】
2022001247.tif 000005
【図４】
2022001247.tif 000006
【図５】
2022001247.tif 000007
【図６Ａ】
2022001247.tif 000008
【図６Ｂ】
2022001247.tif 000009
【図７】
2022001247.tif 000010
【図８】
2022001247.tif 000011
【外国語明細書】
2022001247.tif 000012
2022001247.tif 000013
2022001247.tif 000014
2022001247.tif 000015
2022001247.tif 000016
2022001247.tif 000017
2022001247.tif 000018
2022001247.tif 000019
2022001247.tif 000020
2022001247.tif 000021
2022001247.tif 000022
2022001247.tif 000023
2022001247.tif 000024
2022001247.tif 000025
2022001247.tif 000026
2022001247.tif 000027
2022001247.tif 000028
2022001247.tif 000029
2022001247.tif 000030
2022001247.tif 000031
2022001247.tif 000032
2022001247.tif 000033
2022001247.tif 000034
2022001247.tif 000035
2022001247.tif 000036
2022001247.tif 000037